(57)【特許請求の範囲】
【請求項１】
洗浄用刷毛において、
使用者が手で把持できる柄部と、
前記柄部に連結されて縦方向に延びる軸部と、
前記軸部の一部に引っ掛けられて嵌合して前記軸部に沿って摺動可能な摺動部と、
前記軸部の下端部と前記摺動部の下部に結合されるストリップ部と、
前記ストリップ部の外側に取り付けられる毛部と、
前記摺動部が前記軸部に沿って摺動できるようにし、且つ、前記軸部に対する相対位置を調節できるようにする位置調節部と、
を含み、
前記摺動部を前記軸部の下端部に向かって押し付けて、前記ストリップ部が外側に拡開されるように屈曲するようにでき、
前記位置調節部により前記摺動部の前記軸部に対する相対位置を調節することにより、前記ストリップ部が外側に拡開される度合いを調節し得る洗浄用刷毛であって、
前記ストリップ部は、前記軸部の下端部から上部に向かって厚肉となる断面形状を有するか、前記軸部に臨む面に所定の間隔をあけて離間する多数の溝を有し、前記溝の深さは、前記軸部の下端部から上部に向かって浅くなるものである洗浄用刷毛。
【請求項２】
前記下端部から上部に向かって厚肉となる断面形状を有するストリップ部には、所定の間隔をあけて離間する多数の溝が形成される請求項１に記載の洗浄用刷毛。
【請求項３】
前記下端部から上部に向かって厚肉となる断面形状を有するストリップ部には、前記摺動部の下部に結合される結合部に隣接して所定の深さの溝が形成される請求項１乃至２に記載の洗浄用刷毛。
【請求項４】
前記軸部に臨む面に所定の間隔をあけて離間する多数の溝を有する前記ストリップ部の深さは、前記軸部の下端部から上部に向かって浅くなる請求項１に記載の洗浄用刷毛。
【請求項５】
前記位置調節部は、前記軸部に所定の間隔をあけて互いに離間して形成される多数の溝と、前記溝に嵌合するように前記摺動部の下端部に形成される突出部と、からなり、
前記突出部が前記溝に嵌合する方式により、前記摺動部の前記軸部に対する相対位置が調節される請求項１乃至４に記載の洗浄用刷毛。
【発明の詳細な説明】
【技術分野】
【０００１】
本発明は、長い容器を洗浄するための洗浄用刷毛に関する。
【背景技術】
【０００２】
一般に、深さが深くないカップや容器はたわしを用いて手で洗浄することができるが、深さが深いカップや容器は手が入ることができる深さの制限のために柄部を持つ洗浄用刷毛を用いて洗浄している。
【０００３】
従来の洗浄用刷毛は、ストレートバー状で幅が細くて長いため、カップや広口容器を洗浄することはできるが、折り曲げられないため、細口容器を隅々まで洗浄するのは難しい。また、また、広口容器の場合でも洗浄用刷毛を容器の壁面に密着して円を描きながら洗浄しなければならないため、洗浄に時間がかかり不便であるという欠点がある。
【０００４】
そのため、様々な形状の円筒状の容器を簡単かつ迅速に洗浄できる洗浄用刷毛が求められている。
【先行技術文献】
【特許文献】
【０００５】
【特許文献１】韓国実用新案登録出願第２０−２０１５−０００４４９１号
【発明の概要】
【発明が解決しようとする課題】
【０００６】
したがって、本発明は、上記事情に鑑みてなされたもので、細口容器に洗浄用刷毛が入らなくて洗浄できないか、または洗浄用刷毛が折り曲げられないため隅々まで洗浄するのが難しいという問題を解決するために、洗浄部が容器の形状に応じて拡開されるようにすることにより、円筒状の容器を簡単かつ迅速に洗浄できる洗浄用刷毛を提供することを目的とする。
【課題を解決するための手段】
【０００７】
上述のような目的を実現するための本発明に係る洗浄用刷毛は、洗浄用刷毛において、使用者が手で把持できる柄部と、前記柄部に連結されて縦方向に延びる軸部と、前記軸部の一部に引っ掛けられて嵌合して前記軸部に沿って摺動可能な摺動部と、前記軸部の下端部と前記摺動部の下部に結合されるストリップ部と、前記ストリップ部の外側に取り付けられる毛部と、前記摺動部が前記軸部に沿って摺動できるようにし、且つ、前記軸部に対する相対位置を調節できるようにする位置調節部と、を含み、前記摺動部を前記軸部の下端部に向かって押し付けて、前記ストリップ部が外側に拡開されるように屈曲するようにでき、前記位置調節部により前記摺動部の前記軸部に対する相対位置を調節することにより、前記ストリップ部が外側に拡開される度合いを調節することができる洗浄用刷毛であって、前記ストリップ部は、前記軸部の下端部から上部に向かって厚肉となる断面形状を有するか、前記軸部に臨む面に所定の間隔をあけて離間する多数の溝を有し、前記溝の深さは、前記軸部の下端部から上部に向かって浅くなるものである洗浄用刷毛である。
【０００８】
前記下端部から上部に向かって厚肉となる断面形状を有するストリップ部には、前記摺動部の下部に結合される結合部に隣接して所定の深さの溝が形成される洗浄用刷毛である。
【０００９】
前記下端部から上部に向かって厚肉となる断面形状を有するストリップ部には、所定の間隔をあけて離間する多数の溝が形成される洗浄用刷毛である。
【００１０】
前記軸部に臨む面に所定の間隔をあけて離間する多数の溝を有する前記ストリップ部の深さは、前記軸部の下端部から上部に向かって浅くなる洗浄用刷毛である。
【００１１】
前記位置調節部は、前記軸部に所定の間隔をあけて互いに離間して形成される多数の溝と、前記溝に嵌合するように前記摺動部の下端部に形成される突出部と、からなり、前記突出部が前記溝に嵌合する方式により、前記摺動部の前記軸部に対する相対位置が調節される。
【発明の効果】
【００１３】
本発明によれば、洗浄部が容器の形状に応じて拡開されるようにすることにより、円筒状の容器を簡単かつ迅速に洗浄できる洗浄用刷毛を提供することができる。
【図面の簡単な説明】
【００１４】
【図１】本発明の実施形態に係るストリップ部を示す図である。
【図２ａ】図２ａ及び図ｂは、本発明の実施形態に係る軸部と摺動部を示す図である。
【図２ｂ】図２ａ及び図ｂは、本発明の実施形態に係る軸部と摺動部を示す図である。
【図３】本発明の実施形態に係る洗浄用刷毛を示す図である。
【図４】図３のストリップ部の屈曲状態を示す図である。
【図５】本発明の他の実施形態に係るストリップ部を示す図である。
【図６】本発明の他の実施形態に係る洗浄用刷毛を示す図である。
【図７】図６のストリップ部の屈曲状態を示す図である。
【図８】本発明のまた他の実施形態に係るストリップ部を示す図である。
【発明を実施するための形態】
【００１５】
以下、添付図面に基づき、本発明の好適な実施形態についての構成及び作用を詳細に説明する。ここで、各図面の構成要素に参照符号を付加するにあたり、同一の構成要素に限っては、たとえ他の図面上に表示されても、できるだけ同一の符号で表していることに留意しなければならない。
【００１６】
図１は、本発明の実施形態に係るストリップ部を示す図である。図２ａ及び図２ｂは、本発明の実施形態に係る軸部と摺動部を示す図である。図３は、本発明の実施形態に係る洗浄用刷毛を示す図である。図４は、図３のストリップ部の屈曲状態を示す図である。
【００１７】
図１から図３を参照すると、本発明の洗浄用刷毛は、柄部１１０、軸部１２０、摺動部１３０、ストリップ部１４０、毛部１５０と、を含む。
【００１８】
柄部１１０は、使用者が手で把持できるように構成されている。
【００１９】
軸部１２０は、柄部１１０に連結されて縦方向に延びる。軸部１２０の下端部には、ストリップ部１４０と結合するための結合部１２２、１２３が形成されている。結合部１２２、１２３は、ストリップ部１４０と結合された状態で、使用者が柄部１１０を回転させて容器１０を洗浄する際、軸部１２０とストリップ部１４０とがともに回転できるようにする。このため、結合部１２２、１２３は、楕円形または多角形の断面を有する。
【００２０】
摺動部１３０は、軸部１２０の一部に引っ掛けられて嵌合して軸部１２０に沿って摺動可能に構成されている。
【００２１】
ストリップ部１４０は、軸部１２０の下端部と摺動部１３０の下部に結合される。ストリップ部１４０は、長帯状であってもよく、中央と両端部に結合部１４１、１４２を有する。結合部１４１は軸部１２０の下端部と結合され、結合部１４２は摺動部１３０と結合される。例えば、結合部１４２には開口部１４２ａが形成され、摺動部１３０には突出ピン１３２が形成されていて、開口部１４２ａが突出ピン１３２に嵌合することで結合部１４２と摺動部１３０とが結合される。ストリップ部１４０の軸部１２０及び摺動部１３０への結合は、技術分野における公知の様々な方法により実現できる。ストリップ部１４０は、所定の剛性または弾性を有することができる。
【００２２】
ストリップ部１４０は、軸部１２０の下端部から上部に向かって厚肉となる断面形状を有する。図１における矢印の長さは、ストリップ部１４０が曲げられるようにする力の強さを示す。すなわち、ストリップ部１４０は、軸部１２０の下端部から上部に向かって厚肉となるので、小さい力が加えられるときは軸部１２０の下端部に隣接する部分が曲げられ、より大きな力が加えられるほど軸部１２０の上部に隣接する部分が曲げられる。
【００２３】
また、ストリップ部１４０には、摺動部１３０の下部に結合される結合部１４２に隣接して所定の深さの溝１４３が形成される。このような溝１４３は、結合部１４２に隣接する部分をも、所定の力を加える際に、ストリップ部１４０が拡開される方向に曲げられるようにするためのもので、軸部１２０に臨む面または軸部１２０の反対側に形成されてもよい。
【００２４】
毛部１５０は、ストリップ部１４０の外側に取り付けられて、毛部１５０によって容器１０を洗浄することができる。毛部１５０は、ストリップ部１４０から分離された個々の部材であってもよく、接着剤又は他の結合手段によりストリップ部１４０に取り付けられてもよい。これとは異なり、毛部１５０は、ストリップ部１４０と一体に形成されてストリップ部１４０から突出する形状を有してもよい。
【００２５】
位置調節部は、摺動部１３０が軸部１２０に沿って摺動できるようにし、且つ、軸部１２０に対する相対位置を調整することができる。
【００２６】
位置調節部は、軸部１２０に所定の間隔をあけて互いに離間して形成される多数の溝１２１と、これらの溝１２１に嵌合するように摺動部１３０の下端部の両側に形成される突出部１３１と、からなってもよい。摺動部１３０を軸部１２０の下端部に向かって押圧すると突出部１３１が溝１２１に嵌合する方式により、摺動部１３０の軸部１２０の相対位置が調節されてもよい。
【００２７】
位置調節部は、軸部１２０に突出部が形成され、摺動部１３０に多数の開口部が互いに離間して形成されるように構成されてもよい。摺動部１３０が軸部１２０に沿って摺動する間に、突起部が開口部の上方に突出して軸部１２０に対する摺動部１３０の移動を制限することができる。
【００２８】
また、ストリップ部１４０が締結部材により摺動部１３０に結合され、締結部材が軸部１２０に向かって所定距離だけ突出している場合は、位置調節部は、軸部１２０に適切な摩擦力を提供することができる。したがって、締付部材は、摺動部１３０が軸部１２０に沿って摺動できるようにし、且つ、適切な摩擦力を与えて軸部１２０の相対位置を調整することができる。
【００２９】
位置調節部を上述した構成のほかに様々な方法で実現できることは、通常の技術者にとって自明である。
【００３０】
位置調節部により摺動部１３０の軸部１２０に対する相対位置を調節する方式を用いて、摺動部１３０を軸部１２０の下端部に向かって押し付けて、ストリップ部１４０が外側に拡開されるように屈曲するようにできる。また、位置調節部により摺動部１３０の軸部１２０に対する相対位置を調節することにより、ストリップ部１４０が外側に拡開される度合いを調節することができる。
【００３１】
図４を参照すると、ストリップ部１４０が細口の円筒状の容器１０の内面の形状に合わせて外側に屈曲変形して、容易に洗浄することができる。従来の洗浄用刷毛は、刷毛の形状が可変ではないため、細口の円筒状の容器を洗浄するのに不便であった。しかし、ストリップ部１４０は、軸部１２０の下端部から上部に向かって厚肉となる断面形状を有するので、使用者が洗浄用刷毛を握って容器１０の底面に向かってより大きな力を加えるほどストリップ部１４０がより大きく拡開される。それに応じて、容器１０の大きさに関係なく、洗浄用刷毛のストリップ部１４０は、容器１０の内面と密着して毛部１５０により容器１０を洗浄することができる。
【００３２】
図５は、本発明の他の実施形態に係るストリップ部を示す図である。図６は、本発明の他の実施形態に係る洗浄用刷毛を示す図である。図７は、図６のストリップ部の屈曲状態を示す図である。
【００３３】
本実施形態の洗浄用刷毛は、柄部２１０、軸部２２０、摺動部２３０、ストリップ部２４０、毛部２５０を含む。柄部２１０、軸部２２０、摺動部２３０及び毛部２５０は、図３に示す洗浄用刷毛の柄部１１０、軸部１２０、摺動部１３０及び毛部１５０と同一の構成を有するので詳細な説明は省略する。
【００３４】
ストリップ部２４０は、軸部２２０の下端部と摺動部２３０の下部とに結合される。ストリップ部２４０は、長い帯状を呈し、中央と両端部に結合部２４１、２４２を有する。結合部２４１は軸部２２０の下端部と結合され、結合部２４２は摺動部２３０と結合される。例えば、結合部２４２には開口部２４２ａが形成され、摺動部２３０には突出ピンが形成されていて、開口部２４２ａが突出ピンに嵌合することで結合部２４２と摺動部２３０とが結合される。ストリップ部２４０の軸部２２０及び摺動部２３０への結合は、技術分野における公知の様々な方向により実現できる。ストリップ部２４０は、所定の剛性または弾性を有することができる。
【００３５】
ストリップ部２４０は、軸部２２０に臨む面に所定の間隔をあけて離間する多数の溝２４３を有し、溝２４３の深さは、軸部２２０の下端部から上部に向かって浅くなる。図５における矢印の長さは、ストリップ部２４０が曲げられるようにする力の強さを示す。ストリップ部２４０に形成された溝２４３の深さは、軸部２２０の下端部から上部に向かって浅くなるので、小さい力が加えられるときは軸部２２０の下端部に隣接する部分が曲げられ、より大きな力が加えられるほど軸部２２０の上部に隣接する部分が曲げられる。
【００３６】
また、溝２４３は、摺動部２３０の下部に結合される結合部２４２に隣接するところまで形成されているので、所定の力を加えると、結合部２４２に隣接する部分も曲げられる。
【００３７】
位置調節部は、摺動部２３０が軸部２２０に沿って摺動できるようにし、且つ、軸部２２０に対する相対位置を調整することができる。本実施形態の位置調節部は、図３に示す実施形態と同様である。
【００３８】
図７を参照すると、ストリップ部２４０が細口の円筒状の容器１０の内面の形状に合わせて外側に屈曲変形して、容易に洗浄することができる。このとき、ストリップ部２４０に形成された溝２４３の深さは、軸部２２０の下端部から上部に向かって浅くなるので、洗浄用刷毛を握って容器１０の底面に向かってより大きな力を加えるほどストリップ部２４０がより大きく拡開される。それに応じて、容器１０の大きさに関係なく、洗浄用刷毛のストリップ部２４０は、容器１０の内面と密着して毛部２５０により容器を洗浄することができる。
【００３９】
図８は、本発明の他の実施形態に係るストリップ部を示す図である。
【００４０】
図２ａ及び図８を参照すると、本実施形態のストリップ部３４０は、軸部１２０の下端部と摺動部１３０の下部とに結合される。ストリップ部３４０は、長い帯状を呈し、中央と両端部に結合部３４１、３４２を有する。結合部３４１は軸部１２０の下端部と結合され、結合部３４２は摺動部１３０と結合される。結合部３４２には開口部３４２ａが形成され、摺動部１３０には突出ピン１３２が形成されていて、開口部３４２ａが突出ピン１３２に嵌合することで結合部３４２と摺動部１３０とが結合される。
【００４１】
ストリップ部３４０は、軸部１２０の下端部から上部に向かって厚肉となる断面形状を有する。図８における矢印の長さは、ストリップ部３４０が曲げられるようにする力の強さを示す。ストリップ部３４０は、軸部１２０の下端部から上部に向かって厚肉となるので、小さい力が加えられるときは軸部１２０の下端部に隣接する部分が曲げられ、より大きな力が加えられるほど軸部１２０の上部に隣接する部分が曲げられる。
【００４２】
ストリップ部３４０には、摺動部１３０の下部に結合される結合部３４２に隣接して軸部１２０に臨む面に所定の深さの溝３４３が形成される。このような溝３４３は、結合部３４２に隣接する部分をも、所定の力を加える際に、ストリップ部３４０が拡開される方向に曲げられるようにするためのもので、軸部１２０に臨む面または軸部１２０の反対側に形成されてもよい。。
【００４３】
また、ストリップ部３４０には、所定の間隔をあけて離間する溝３４４が形成されてもよい。このような溝３４４は、同じ深さを有しており、ストリップ部３４０に力を加える際に、ストリップ部３４０を軸部１２０の下端部から上部に向かってさらに曲げられるようにすることができる。
【００４４】
本発明は、前記実施形態に限定されず本発明の技術的要旨から逸脱しない範囲内で様々に修正又は変形して実施できることは、本発明の属する技術分野における通常の知識を有する者にとって自明なものである。
【符号の説明】
【００４５】
１０  容器
１１０  柄部
１２０  軸部
１２１  溝
１２２、１２３  結合部
１３０  摺動部
１３１  突起部
１３２  突出ピン
１４０  ストリップ部
１４１、１４２  結合部
１４２ａ  開口部
１５０  毛部
【図１】
0006892969.tif 000002
【図２ａ】
0006892969.tif 000003
【図２ｂ】
0006892969.tif 000004
【図３】
0006892969.tif 000005
【図４】
0006892969.tif 000006
【図５】
0006892969.tif 000007
【図６】
0006892969.tif 000008
【図７】
0006892969.tif 000009
【図８】
0006892969.tif 000010